(57)【要約】【課題】カレンダーの製造コストを抑えることのできるカレンダー用捲り紙、および製造コストが抑えられたカレンダーを提供すること【解決手段】カレンダー用捲り紙２は、直線状をなす辺２１２を有する形状の紙片２１と、紙片２１の辺２１２の延在方向に並設された複数の第１の貫通孔５１で構成された第１の貫通孔群５と、紙片２１の辺２１２の延在方向に並設された複数の第２の貫通孔６１で構成され、第１の貫通孔群５と片２１２の延在方向に離間して配置された第２の貫通孔群６と、第１の貫通孔群５と第２の貫通孔群６の間に設けられた第３の貫通孔７とを有する。【選択図】図２
0003152636.tif 000002
【実用新案登録請求の範囲】
【請求項１】
直線状をなす１つの辺を有する形状の紙片と、
前記紙片の前記辺の延在方向に並設された複数の第１の貫通孔で構成された第１の貫通孔群と、
前記紙片の前記辺の延在方向に並設された複数の第２の貫通孔で構成され、前記第１の貫通孔群と前記辺の延在方向に離間して配置された第２の貫通孔群と、
前記第１の貫通孔群と前記第２の貫通孔群の間に設けられた第３の貫通孔とを有することを特徴とするカレンダー用捲り紙。
【請求項２】
前記第３の貫通孔は、前記辺の中央部に位置している請求項１に記載のカレンダー用捲り紙。
【請求項３】
前記第１の貫通孔群および前記第２の貫通孔群は、前記第３の貫通孔に対して対称的に設けられている請求項１または２に記載のカレンダー用捲り紙。
【請求項４】
前記複数の第１の貫通孔、前記複数の第２の貫通孔および前記第３の貫通孔は、前記辺に沿って一直線上に並んでいる請求項１ないし３のいずれかに記載のカレンダー用捲り紙。
【請求項５】
前記紙片の片面にのみ印刷面を有する請求項１ないし４のいずれかに記載のカレンダー用捲り紙。
【請求項６】
各前記第１の貫通孔および各前記第２の貫通孔は、それぞれ、複数のカレンダー用捲り紙を綴じ合わせる留め具を挿通するための孔である請求項１ないし５のいずれかに記載のカレンダー用捲り紙。
【請求項７】
前記第３の貫通孔は、カレンダー用捲り紙を吊り下げるための孔である請求項１ないし６のいずれかに記載のカレンダー用捲り紙。
【請求項８】
請求項１ないし７のいずれかに記載のカレンダー用捲り紙を複数と、
前記複数のカレンダー用捲り紙の各前記第１の貫通孔および各前記第２の貫通孔に、それぞれ挿通することにより、前記複数のカレンダー用捲り紙を綴じ合わせる留め具とを有することを特徴とするカレンダー。
【請求項９】
前記留め具は、前記複数のカレンダー用捲り紙の各前記第１の貫通孔に挿通する複数のリング部を有する第１の留め具と、各前記第２の貫通孔に挿通する複数のリング部を有する第２の留め具とを有している請求項８に記載のカレンダー。
【請求項１０】
前記留め具は、紙材で構成されている請求項８または９に記載のカレンダー。
【考案の詳細な説明】
【技術分野】
【０００１】
本考案は、カレンダー用捲り紙およびカレンダーに関する。
【背景技術】
【０００２】
従来から、日付を確認する道具としてカレンダーが広く一般に用いられている。このようなカレンダーとしては、複数の捲り紙が捲り返し可能に綴じ合わされているものが知られている（例えば特許文献１）。また、このようなカレンダーは、見開いた状態（捲り上げた捲り紙の裏面と、新たに現れる捲り紙の表面とが目視可能な状態）で使用され、例えば一方の捲り紙に風景画・写真のようなデザイン性に優れる要素を配置し、他方の捲り紙に日付を記載することにより、視認性およびデザイン性を向上させている。
【０００３】
しかしながら、このように見開いた状態で使用されるカレンダーにおいては、捲り紙の枚数が多くなるし、さらに各捲り紙の両面に情報（画像、日付等）を印刷しなければならない。そのため、印刷工程の増加、インク使用量の増加等に繋がり、製造コストが増加するという問題がある。
【先行技術文献】
【特許文献】
【０００４】
【特許文献１】特開平９−１３６４９４号公報
【考案の概要】
【考案が解決しようとする課題】
【０００５】
本考案の目的は、カレンダーの製造コストを抑えることのできるカレンダー用捲り紙、および製造コストが抑えられたカレンダーを提供することにある。
【課題を解決するための手段】
【０００６】
前記目的は、以下（１）〜（１０）の本考案により達成される。
（１）  直線状をなす１つの辺を有する形状の紙片と、
前記紙片の前記辺の延在方向に並設された複数の第１の貫通孔で構成された第１の貫通孔群と、
前記紙片の前記辺の延在方向に並設された複数の第２の貫通孔で構成され、前記第１の貫通孔群と前記辺の延在方向に離間して配置された第２の貫通孔群と、
前記第１の貫通孔群と前記第２の貫通孔群の間に設けられた第３の貫通孔とを有することを特徴とするカレンダー用捲り紙。
【０００７】
（２）  前記第３の貫通孔は、前記辺の中央部に位置している上記（１）に記載のカレンダー用捲り紙。
【０００８】
（３）  前記第１の貫通孔群および前記第２の貫通孔群は、前記第３の貫通孔に対して対称的に設けられている上記（１）または（２）に記載のカレンダー用捲り紙。
【０００９】
（４）  前記複数の第１の貫通孔、前記複数の第２の貫通孔および前記第３の貫通孔は、前記辺の延在方向に一直線上に並んでいる上記（１）ないし（３）のいずれかに記載のカレンダー用捲り紙。
【００１０】
（５）  前記紙片の片面にのみ印刷面を有する上記（１）ないし（４）のいずれかに記載のカレンダー用捲り紙。
【００１１】
（６）  各前記第１の貫通孔および各前記第２の貫通孔は、それぞれ、複数のカレンダー用捲り紙を綴じ合わせる留め具を挿通するための孔である上記（１）ないし（５）のいずれかに記載のカレンダー用捲り紙。
【００１２】
（７）  前記第３の貫通孔は、カレンダー用捲り紙を吊り下げるための孔である上記（１）ないし（６）のいずれかに記載のカレンダー用捲り紙。
【００１３】
（８）  上記（１）ないし（７）のいずれかに記載のカレンダー用捲り紙を複数枚と、
前記複数のカレンダー用捲り紙の各前記第１の貫通孔および各前記第２の貫通孔に、それぞれ挿通することにより、前記複数のカレンダー用捲り紙を綴じ合わせる留め具とを有することを特徴とするカレンダー。
【００１４】
（９）  前記留め具は、前記複数のカレンダー用捲り紙の各前記第１の貫通孔に挿通する複数のリング部を有する第１の留め具と、各前記第２の貫通孔に挿通する複数のリング部を有する第２の留め具とを有している上記（８）に記載のカレンダー。
【００１５】
（１０）  前記留め具は、紙材で構成されている上記（８）または（９）に記載のカレンダー。
【考案の効果】
【００１６】
本考案によれば、カレンダーの製造コストを抑えることのできるカレンダー用捲を提供することができる。
【００１７】
すなわち、第３の貫通孔をカレンダー用捲り紙を吊り下げるための孔として用いることができ、これにより、吊り下げ式の捲り返し型カレンダーに好適に用いられるカレンダー用捲り紙を提供することができる。このような捲り返し型カレンダーのひとつの使用例として、例えば、必要に応じて捲り紙を捲り返して最背面に送り、目的とする月、日が印刷されている捲り紙２を最前面に位置させて使用する方法が挙げられる。この場合、使用時には、一枚のカレンダー用捲り紙の片面のみが利用者から視認可能な状態となるため、各カレンダー用捲り紙（紙片）の片面にのみ印刷面を設ければ十分である。そのため、カレンダー用捲り紙の印刷工程の簡易化を図ることができ、さらに、インク使用量を削減することもできる。その結果、このようなカレンダー用捲り紙を用いたカレンダーの製造コストを削減することができる。
【００１８】
また、本考案によれば、製造コストが抑えられたカレンダーを提供することができる。特に、留め具を紙材で構成するこることにより、容易にリサイクルすることができ、環境にやさしいカレンダーを提供することができる。
【図面の簡単な説明】
【００１９】
【図１】本考案のカレンダーの好適な実施形態を示す斜視図である。
【図２】図１に示すカレンダーが有する捲り紙の平面図である。
【図３】図１に示すカレンダーが有する留め具を示す平面図である。
【考案を実施するための形態】
【００２０】
以下、本考案のカレンダー用捲り紙を適用したカレンダー（本考案のカレンダー）を添付図面に示す好適な実施形態に基づいて詳細に説明する。
【００２１】
図１は、本考案のカレンダーの好適な実施形態を示す斜視図、図２は、図１に示すカレンダーが有する捲り紙の平面図、図３は、図１に示すカレンダーが有する留め具を示す平面図である。なお、以下では、説明の都合上、図２中の上側を「上」、下側を「下」、左側を「左」、右側を「右」として説明を行う。
【００２２】
図１に示すように、カレンダー１は、月、日、曜日等が印刷された複数の捲り紙（カレンダー用捲り紙）２と、これらの撓み等を防止または抑制する基材３と、複数の捲り紙２と基材３とを捲り返し可能に綴じ合わせる留め具４とを有している。このような構成のカレンダー１は、必要に応じて捲り紙２を捲り返して最背面に送り、目的とする月、日が印刷されている捲り紙２を最前面に位置させて使用するものである。
【００２３】
以下、各捲り紙２、基材３および留め具４について、順次詳細に説明するが、各捲り紙２は、互いに同様の構成であるため、一枚の捲り紙２について代表して説明し、その他の捲り紙２については、その説明を省略する。
【００２４】
図２に示すように、捲り紙２は、図２中の左右方向を長手とする長方形をなす紙片２１と、紙片２１に形成された複数の貫通孔とで構成されている。また、紙片２１の表側の面が印刷面２１１となっており、この印刷面２１１に、月、日、曜日などのカレンダーとして機能させるのに必要な事項（文字情報）が印刷されている。このような印刷面２１１には、必要に応じて、文字情報の他に、風景画、写真等の画像を印刷することもでき、これによりカレンダー１のデザイン性が向上する。
【００２５】
ここで、前述したように、カレンダー１は、必要に応じて捲り紙２を捲り返して最背面に送り、目的とする月、日が印刷されている捲り紙２を最前面に位置させて使用するものであり、見開いた状態で使用されるものではない。すなわち、通常の使用において、紙片２１（捲り紙２）の裏面は、利用者の目に届かないため、印刷面２１１を紙片２１の表側の面（片面）にのみ設ければ足りることとなる。そのため、両面印刷する場合と比較して、カレンダー１の印刷工程の簡易化、インク使用量の削減を図ることができ、効果的にカレンダー１の製造コストを削減することができる。
【００２６】
このような紙片２１には、複数の貫通孔が形成されている。具体的には、図２に示すように、紙片２１の上端部の左側には、複数の第１の貫通孔５１で構成された第１の貫通孔群５が形成されている。また、紙片２１の上端部の右側には、複数の第２の貫通孔６１で構成された第２の貫通孔群６が形成されている。また、第１の貫通孔群５と第２の貫通孔群６の間には、第３の貫通孔７が形成されている。
【００２７】
第３の貫通孔７は、紙片２１の上側の辺２１２の中央部（中間部）に形成されている。この第３の貫通孔７は、フック等の引っかけ具を挿通することにより、カレンダー１を壁、棚の側面等に吊り下げるための孔である。このような第３の貫通孔７を設けることにより、カレンダーを前述したような方法で使用（すなわち、最前面に位置する捲り紙２の表面しか視認できない状態で使用）することができる。特に、第３の貫通孔７を辺２１２の中央部に形成することにより、カレンダー１を吊り下げたときのバランスがよくなり、カレンダー１が、左右のどちらかに傾くのを防止することができる。
【００２８】
本実施形態では、第３の貫通孔７が円形をなしているが、第３の貫通孔７の形状は、特に限定されず、例えば、楕円形、三角形、四角形（正方形、長方形、台形、平行四辺形等）、五角形以上の多角形をなしていてもよい。
【００２９】
このような第３の貫通孔７の左側には、複数の第１の貫通孔５１が辺２１２に沿って等ピッチで形成（並設）されている。これと同様に、第３の貫通孔７の右側には、複数の第２の貫通孔６１が、辺２１２に沿って等ピッチで形成されている。各第１の貫通孔５１および各第２の貫通孔６１は、それぞれ、留め具４を挿通することによって、複数の捲り紙２および基材３を綴じ合わせるための孔である。複数の捲り紙２を、その左右両側にて綴じ合わせることにより、捲り紙２の捲り返しをスムーズに行うことができる。また、複数の捲り紙２の両端部付近も綴じ合わされるため、捲り紙２が撓んだり、折れ曲がったりするのを防止または抑制することができる。
【００３０】
また、各第１の貫通孔５１および各第２の貫通孔６１は、互いに等しい形状・大きさに形成されている。本実施形態では、各第１の貫通孔５１および各第２の貫通孔６１は、図２中左右方向を長手とする長方形をなしている。なお、各第１の貫通孔５１および各第２の貫通孔６１の形状としては、これに限定されず、例えば、正方形でもよし、円形であってもよい。また、第１の貫通孔５１と第２の貫通孔６１とで形状が異なっていてもよし、第１の貫通孔５１（第２の貫通孔６１）同士で形状が異なっていてもよい。
【００３１】
なお、本実施形態では、第１の貫通孔５１が４つ形成されているが、第１の貫通孔５１の数としてはこれに限定されず、２〜３個であってもよいし、５個以上であってもよい。第２の貫通孔６１の数についてもこれと同様である。
【００３２】
このような各第１の貫通孔５１および各第２の貫通孔６１は、前述したように、紙片２１の辺２１２に沿って形成されているが、さらに、第３の貫通孔７と同一直線状に位置するように形成されている。言い換えれば、全ての貫通孔（すなわち、複数の第１の貫通孔５１、複数の第２の貫通孔６１および第３の貫通孔７）が、紙片２１の辺２１２に沿って一直線上に形成されている。これにより、複数の貫通孔に一体感が生じ、捲り紙２のデザイン性が向上する。また、紙片２１の表面の上端部を除く部分に、印刷面２１１をより広く、かつ形よく確保することができるため、カレンダー１を視認性に優れたものとすることができる。また、留め具４が挿通される孔である複数の第１の貫通孔５１および複数の第２の貫通孔６１が一直線上に形成されているため、捲り紙２をスムーズに捲り返すこともできる。
【００３３】
このような複数の第１の貫通孔５１で構成された第１の貫通孔群５と、複数の第２の貫通孔６１で構成された第２の貫通孔群６とは、第３の貫通孔７に対して対称的に設けられている。これにより、捲り紙２（紙片２１）の左端部を持って捲り返す場合や、右端部を持って捲り返す場合や、下端部を持って捲り返す場合など、捲り紙２のどの部分を持っても、その捲り紙２をスムーズに捲り返すことができる。
【００３４】
以上のような構成の捲り紙２の枚数としては、特に限定されず、例えば、１枚の捲り紙２に１カ月分の日付を印刷する場合には、１２枚（すなわち、１２カ月分）程度の捲り紙２を用いればよいし、１枚の捲り紙２に１週間分の日付を印刷する場合には、５２、５３枚（すなわち、５２、５３週分）程度の捲り紙２を用いればよいし、１枚の捲り紙２に１日分の日付を印刷する場合には、３６５枚（すなわち、３６５日分）程度の捲り紙２を用いればよい。
【００３５】
基材３は、例えば、カレンダー１の使用中（吊り下げ中）や、カレンダー１を持ち運ぶ際に、捲り紙２（紙片２１）が折れ曲がったり、捲り紙２に皺が付いたりするのを防止または抑制する機能を有している。本実施形態では、基材３は、捲り紙２と同じ外形をなしている。また、基材３には、捲り紙２と同様に、複数の第１の貫通孔５１、複数の第２の貫通孔６１および第３の貫通孔７が形成されている。
【００３６】
このような基材３は、例えば、捲り紙２（紙片２１）と比較して硬く丈夫な紙材（例えば、厚紙、段ボール材等）で構成されている。これにより、各捲り紙２の折れ曲がり等の変形を効果的に防止または抑制することができるため、前記機能をより確実に発揮することができる。
【００３７】
なお、基材３の形状としては、捲り紙２と同じ形状に限定されず、例えば、複数の捲り紙２とともに綴じ合わされた状態にて、その下端部が手前側の捲り紙２から露出していてもよい。このような場合には、露出した部分に、商品名、企業名、ＵＲＬ（Uniform Resource Locator）、２次元バーコードリーダ、電話・ＦＡＸ番号、キャッチフレーズ等の商品・企業情報を印刷することにより、カレンダー１を広告媒体として有効に活用することができる。
【００３８】
以上説明した複数の捲り紙２および基材３を綴じ合わせる留め具４は、各第１の貫通孔５１に挿通された第１の留め具４１と、各第２の貫通孔６１に挿通された第２の留め具４２とで構成されている。このように、留め具４を、一対の第１の留め具４１および第２の留め具４２で構成することにより、留め具４の設計度が増大する。
【００３９】
以下、第１、第２の留め具４１、４２について説明するが、これらは、互いに同様の構成であるため、以下では、第１の留め具４１について代表して説明し、第２の留め具４２については、その説明を省略する。
【００４０】
第１の留め具４１は、各第１の貫通孔５１に挿通された複数のリング部４１１と、これら複数のリング部４１１を連結する連結部４１２とを有している。このような第１の留め具４１は、例えば、図３に示すような櫛歯状（すだれ状）のシート部材８の各延出部８１を第１の貫通孔５１に挿通し、各延出部８１を湾曲または屈曲させて折り返し、その先端部を基部８２に接合することにより形成することができる。各延出部８１と基部８２の接合方法としては、特に限定されず、例えば、接着剤を用いて接合してもよいし、圧着により接合してもよい。
【００４１】
このような第１の留め具４１は、紙材で構成されている。これにより、カレンダー１の構成物が全て紙材で構成されることとなるため、リサイクルし易く、環境にやさしいカレンダー１となる。
【００４２】
以上、本考案の捲り紙およびカレンダーを図示の実施形態に基づいて説明したが、本考案はこれに限定されるものではなく、各部の構成は、同様の機能を有する任意の構成のものに置換することができる。また、本考案に他の任意の構成物が付加されていてもよい。
【００４３】
また、前述した実施形態では、紙片の形状が長方形であったが、紙片の形状はこれに限定されず例えば、三角形、正方形、台形、半円形などであってもよい。
【００４４】
また、前述した実施形態では、基材を有する構成について説明したが、この基材は省略してもよい。
【００４５】
また、前述した実施形態では、片面にのみ情報が印刷された捲り紙を用いたカレンダーについて説明したが、カレンダーの構成としては、これに限定されない。例えば、両面にそれぞれ異なる月の情報が印刷された捲り紙を用いてもよい。この場合には、必要に応じて捲り紙を捲り返して最背面に送るまでは前述した実施形態と同様であるが、さらに、必要に応じてカレンダーの裏表を逆転させることにより、目的とする月、日が印刷されている捲り紙をカレンダーの最前面に位置させて使用する。このような構成によれば、捲り紙の両面に印刷しなければならない分、前述した実施形態と比較して印刷工程が煩雑化するが、その半面、前述した実施形態と比較して捲り紙の枚数を減らすことができる。そのため、このような構成によっても、製造コストが抑えられたカレンダーとなる。
【符号の説明】
【００４６】
１        カレンダー
２        捲り紙
２１      紙片
２１１    印刷面
２１２    辺
３        基材
４        留め具
４１      第１の留め具
４１１    リング部
４１２    連結部
４２      第２の留め具
５        第１の貫通孔群
５１      第１の貫通孔
６        第２の貫通孔群
６１      第２の貫通孔
７        第３の貫通孔
８        シート部材
８１      延出部
８２      基部
【図１】
0003152636.tif 000003
【図２】
0003152636.tif 000004
【図３】
0003152636.tif 000005